(57)【要約】【課題】ハンドルを付勢するばねにへたりが生じにくく、長期にわたって円滑な動作が得られる扉開閉用のレバーハンドル装置を提供する。【解決手段】レバーハンドル装置１は、扉の表面に固定されるベース２と、このベース２にロック位置とアンロック位置との間を所定角度正逆回転可能に配設され常時ロック位置に回転付勢される別体のハンドル３と、このハンドル３の正逆回転に連動して扉を筐体に対して直接又は間接に施解錠する施錠部材４とを具備する。ハンドル３を所定角度回転させてアンロック位置に持ち来し、手前へ引いて扉Ｄを開放する。この間、ガイド突起１６がガイド溝７に沿って摺動し、ばね押し突片８がばね１７を圧縮する。このばね力でハンドル３はロック位置に復帰する。再び扉Ｄを閉じるには、一度ハンドル３をアンロック位置に回転させた状態で、扉Ｄを閉鎖位置に持ち来した後、ハンドル３から手を離す操作を行う。【選択図】図１
2012026107.tif 000002
【特許請求の範囲】
【請求項１】
筐体の開口を開閉するための扉の表面に固定されるベースと、このベースに扉の表面に沿ってロック位置とアンロック位置との間を所定角度正逆回転可能に配設され常時ロック位置に回転付勢される別体のハンドルと、このハンドルの正逆回転に連動して扉を筐体に対して直接又は間接に施解錠する施錠部材とを具備し、
前記ベースは、扉の表面に密着する平滑な下面とその反対側の上面とを有するベース本体と、このベース本体の下面から突出して扉の挿通孔を貫通する軸受筒部とを具備し、
前記ハンドルは、前記ベース本体の上面側に摺動自在に重なる下面とその反対側の上面を有する基部と、この基部から扉の表面上に所定の間隔を置いて表面と平行に延出するグリップと、基部の下面から扉の表面に対して垂直に突出してベースの軸受筒部を回転自在に貫通し先端側に前記施錠部材が結合される軸部とを具備し、
前記ベース本体は、前記軸受筒部と同心円状に延びて上面側に開放する対向一対の円弧状のガイド溝と、このガイド溝の両端部付近の外周縁から上方へ突出する各一対のばね押し突片とを具備し、
前記ハンドルの基部は、前記ベース本体のばね押し突片を摺動自在に嵌合させるように下面側に開放する、前記軸部と同心円弧状の一対の摺動溝と、この摺動溝に対して段部を介して溝幅が拡大して連続する円弧状の一対のばね受け溝と、このばね受け溝内に軸心を円弧状に湾曲させて保持されるコイルばねと、ベース本体の前記ガイド溝に摺動自在に嵌合するように下面側へ突出する一対のガイド突起とを具備することを特徴とする扉開閉用レバーハンドル装置。
【発明の詳細な説明】
【技術分野】
【０００１】
この発明は、例えば食器消毒保管庫のような厨房機器等の扉に装着され、この扉を開閉操作するためのレバー式ハンドル装置に関する。
【背景技術】
【０００２】
食器消毒保管庫の扉用ハンドルとして、特許文献１に記載されたものが知られている。このハンドルは、扉の表面に固定されるベース部と、このベース部に、扉の表面に沿って回動可能に配設される別体のグリップ部とを具備する。ベース部は、扉の開口を貫通する軸受筒部を有する。グリップ部は、ベース部の軸受筒部に回転自在に挿通される軸部を有し、この軸部の先端部に作動板が固着される。作動板には、扉を筐体にロックするためのロッドの基端部が枢着される。グリップ部を回転操作すると、これと一体に作動板が回転し、これに伴いロッドが軸線方向に進退することで、扉を筐体に対してロックおよびロック解除する。作動板と扉との間には、捻りコイルばねが介設され、それによって作動板はグリップ部と共に、常時ロッドをアンロック位置に配置する位置に回転付勢される。
【先行技術文献】
【特許文献】
【０００３】
【特許文献１】特開２００２−１２９７８３号公報
【発明の概要】
【発明が解決しようとする課題】
【０００４】
上記従来の扉用ハンドルにおいては、単一の捻りコイルばねに常時負荷がかかるので、長期使用により、ばねにへたりが生じやすく、動作にガタが生じやすいという問題点がある。
したがって、この出願に係る発明は、ばねにへたりが生じにくく、長期にわたって円滑な動作を得ることができる扉開閉用のレバーハンドル装置を提供しようとするものである。
【課題を解決するための手段】
【０００５】
以下、添付図面の符号を参照して説明するが、本発明はこれに限定されるものではない。
上記課題を解決するための、この出願に係る発明のレバーハンドル装置１は、筐体の開口を開閉するための扉Dの表面D1に固定されるベース２と、このベース２に扉の表面に沿ってロック位置とアンロック位置との間を所定角度正逆回転可能に配設され常時ロック位置に回転付勢される別体のハンドル３と、このハンドル３の正逆回転に連動して扉Dを筐体に対して直接又は間接に施解錠する施錠部材４とを具備する。ベース２は、扉の表面D1に密着する平滑な下面５ａとその反対側の上面５ｂとを有するベース本体５と、このベース本体５の下面５ａから突出して扉の挿通孔D３を貫通する軸受筒部６とを具備する。ハンドル３は、ベース本体５の上面５ｂ側に摺動自在に重なる下面１０ａとその反対側の上面１０ｂを有する基部１０と、この基部１０から扉の表面上に所定の間隔を置いて表面と平行に延出するグリップ１１と、基部１０から扉の表面に対して垂直に突出してベースの軸受筒部６を回転自在に貫通し先端側に前記施錠部材４が結合される軸部１２とを具備する。ベース本体５は、軸受筒部６と同心円状に延びて上面側に開放する対向一対の円弧状のガイド溝７と、このガイド溝７の両端部付近の外周縁から上方へ突出する各一対のばね押し突片８とを具備する。ハンドル３の基部１０は、ベース本体５のばね押し突片８を摺動自在に嵌合させるように下面側に開放する、軸部１２と同心円弧状の一対の摺動溝１３と、この摺動溝１３に対して段部１４を介し溝幅が拡大して連続する円弧状の一対のばね受け溝１５と、このばね受け溝１５内に軸心を円弧状に湾曲させて保持されるコイルばね１７と、ベース本体５のガイド溝７に摺動自在に嵌合するように下面１０ａ側へ突出する一対のガイド突起１６とを具備する。
【発明の効果】
【０００６】
この出願に係る発明のレバーハンドル装置によれば、一対のコイルばね１７を湾曲させて挿入するので、ばねにへたりが生じにくく、長期にわたって円滑な動作を得ることができる。
【図面の簡単な説明】
【０００７】
【図１】本発明に係る発明のレバーハンドル装置の分解斜視図である。
【図２】図１のレバーハンドル装置の正面図である。
【図３】図１のレバーハンドル装置の背面図である。
【図４】図１のレバーハンドル装置の側面図である。
【図５】図２におけるＶ−Ｖ断面図である。
【図６】図２におけるVI−VI断面図である。
【図７】図４におけるVII−VII断面図で、（ａ）は施錠状態、（ｂ）は解錠状態である。
【図８】図１のレバーハンドル装置におけるベースの正面図である。
【図９】図１のレバーハンドル装置におけるベースの背面図である。
【図１０】図１のレバーハンドル装置におけるベースの側面図である。
【図１１】図１のレバーハンドル装置におけるハンドルの背面図である。
【図１２】図１のレバーハンドル装置におけるハンドルの側面図である。
【図１３】他の実施形態のレバーハンドル装置を示すもので、図２におけるVI−VIと同位置の断面図である。
【発明を実施するための形態】
【０００８】
図面を参照してこの発明の実施の形態を説明する。
レバーハンドル装置1は、図示しない筐体の開口を開閉するための扉Ｄ（図４）の表面Ｄ１に固定されるベース２と、このベース２に扉の表面Ｄ１に沿ってロック位置とアンロック位置との間を所定角度正逆回転可能に配設され常時ロック位置に回転付勢される別体のハンドル３と、このハンドル３の正逆回転に連動して扉Ｄを筐体に対して直接又は間接に施解錠する施錠部材４とを具備する。
【０００９】
ベース２は、ベース本体５と、このベース本体５から突出する軸受筒部６とを具備する。ベース本体５は、外周面が球面に形成されたほぼ円盤状で、扉の表面Ｄ１に密着する平滑な下面５ａとその反対側の上面５ｂとを有する。軸受筒部６は、ベース本体５の下面５ａから下方へ突出し、扉Ｄへの装着時に挿通孔Ｄ２（図４）を貫通する。
【００１０】
ベース本体５の上面５ｂ側には、軸受筒部６と同心円状に延びて上面側に開放する対向一対の円弧状のガイド溝７と、このガイド溝７の両端部付近の外周縁から上方へ突出する各一対のばね押し突片８が設けられる。また、上面５ｂ側の外周縁には、環状の突縁９が設けられる。
【００１１】
軸受筒部６の内孔６ａは、上端がベース本体５の上面５ｂに開放し、下端は内側フランジ６ｂを介して縮径して下方へ開放する。軸受筒部６の下端縁には、対向一対のストッパ突片６ｃ（図９）が形成される。
【００１２】
ハンドル３は、ベース本体５の上面５ｂに接合されるほぼ円盤状の基部１０と、この基部１０から半径方向外方へ延出するグリップ１１と、基部１０の中心から下方へ突出する軸部１２とを具備する。
【００１３】
基部１０は、ベース本体５の上面５ｂに摺動自在に重なる下面１０ａとその反対側の上面１０ｂとを有し、外周面は、ベース本体５の外周面と滑らかに連続する球面になっている。基部１０の下面側の直径は、ベース本体５の突縁９の内径に等しく構成され、基部１０の下面側周縁が、ベース本体５の突縁９の内側に密に嵌合するようになっている。ベース本体５とハンドルの基部１０の表面に凹凸部がなく、滑らかに連続するので、清掃が容易で、常時衛生的に保ちやすく、雑菌の繁殖を防ぐことができる。
【００１４】
基部１０は、ベース本体５のばね押し突片８を摺動自在に嵌合させるように下面１０ａ側に開放する、軸部１２と同心円弧状の一対の摺動溝１３と、この摺動溝１３に対して段部１４を介して溝幅が拡大して連続する円弧状の一対のばね受け溝１５と、ベース本体５のガイド溝７に摺動自在に嵌合するように下面１０ａから突出する一対のガイド突起１６とを具備する。
【００１５】
ガイド突起１６の先端には、ねじ穴１６ａが形成されており、図１３に示すように、ベース本体５のガイド溝７の溝底を貫通するねじ孔７ａを通して固定ねじ１９を螺合することで、ベース２とハンドル３とを固定して、固定ハンドルとして用いることができる。
【００１６】
軸部１２は、円柱部１２ａの先端に角軸部１２ｂを突設してなる。円柱部１２ａは、ベース２の軸受筒部６の内孔６aに回転自在に嵌合され、角軸部１２ｂを軸受筒部６の内側フランジ６ｂから下方へ突出させる。
【００１７】
ばね受け溝１５内には、圧縮コイルばね１７が、軸心を円弧状に湾曲させ、両端を段部１４に係止させて保持される。図７（ｂ）に示すように、圧縮コイルばね１７は、ハンドル３の解錠操作時に、摺動溝１３からばね受け溝１４内へ進入するばね押し突片８によって、いずれか一方向（図７（ｂ）において時計方向）へ圧縮される。
【００１８】
軸受筒部６から突出した角軸部１２ｂに、ストッパ金具１８と、施錠部材である止め金４が固着される。ストッパ金具１８が、軸受筒部６のストッパ突片６ｃに当接することで、ハンドル３の回転範囲が規制される。ストッパ金具１８を表裏反転させて角軸１２ｂに固定することにより、左勝手又は右勝手のハンドル装置に変更することができる。
【００１９】
図７（ａ）において、いまロック位置にあるハンドル３を反時計方向へ所定角度回転させて図７（ｂ）に示すアンロック位置に持ち来すと、止め金４がハンドル３と共に解錠位置へ回転するので、ハンドル３を手前へ引けば、扉Ｄが開放される。この間、ばね１７がばね押し突片８に押されて圧縮される。このばね力により、ハンドル３はロック位置に復帰するから、再び扉Ｄを閉じるには、一度ハンドル３をアンロック位置に回転させた状態で、扉Ｄを閉鎖位置に持ち来した後、ハンドル３から手を離す操作を行う。
【００２０】
図示しないが、軸部１２を筒状に形成し、内部に錠前を装着し、ハンドル３をキー操作で施解錠可能に構成することもできる。
【符号の説明】
【００２１】
１    レバーハンドル装置
２    ベース
３    ハンドル
４    施錠部材（止め金）
５    ベース本体
５ａ  下面
５ｂ  上面
６    軸受筒部
６ａ  内孔
６ｂ  内側フランジ
６ｃ  ストッパ突片
７    ガイド溝
８    ばね押し突片
９    突縁
１０  ハンドルの基部
１１  グリップ
１２  軸部
１２ａ  円柱部
１２ｂ  角軸部
１３  摺動溝
１４  段部
１５  ばね受け溝
１６  ガイド突起
１７  コイルばね
１８  ストッパ金具
１９  固定ねじ
【図１】
2012026107.tif 000003
【図２】
2012026107.tif 000004
【図３】
2012026107.tif 000005
【図４】
2012026107.tif 000006
【図５】
2012026107.tif 000007
【図６】
2012026107.tif 000008
【図７】
2012026107.tif 000009
【図８】
2012026107.tif 000010
【図９】
2012026107.tif 000011
【図１０】
2012026107.tif 000012
【図１１】
2012026107.tif 000013
【図１２】
2012026107.tif 000014
【図１３】
2012026107.tif 000015